(57)【要約】【課題】店舗群又は売り場群全体に共通する世界観を持たせることができるとともに、個々の小店舗又は売り場ごとに明確な個性を持たせることができ、更に小店舗又は売り場の変更や配置替えを違和感無く行うこともできるような店舗を提供する。【解決手段】第１のテーマ及びこれに基づく商品群が共通し且つ購買環境が統一されて全体空間３０が形成された商品陳列販売用店舗であって、全体空間内に複数の部分空間３１〜３８が互いに仕切られて形成されている。各々の部分空間は、第１のテーマ及び商品群並びに購買環境の枠内で、他の部分空間と異なる第２のテーマ及びこれに基づく商品群が選択され且つ当該第２のテーマに応じて他の部分空間と異なる購買環境が選択されている。【選択図】　図１
2004044108.tif 000002
【特許請求の範囲】
【請求項１】
第１のテーマ及びこれに基づく商品群が共通し且つ購買環境が統一されて全体空間が形成された商品陳列販売用店舗であって、
前記全体空間内に複数の部分空間が互いに仕切られて形成され、
各々の部分空間は、
前記共通する第１のテーマ及び商品群並びに前記統一された購買環境の枠内で、
他の部分空間と異なる第２のテーマ及びこれに基づく商品群が選択され且つ当該第２のテーマに応じて他の部分空間と異なる購買環境が選択された、商品陳列販売用店舗。
【請求項２】
請求項１において、
前記複数の部分空間を形成するために、各々の部分空間ごとに、前記第２のテーマに応じて異なる仕切りが用いられた、商品陳列販売用店舗。
【請求項３】
請求項１又は請求項２において、
各部分空間の内装は、前記異なる第２のテーマに沿って決められている、商品陳列販売用店舗。
【請求項４】
請求項１乃至請求項３の何れか一項において、
各部分空間内の什器は、前記第２のテーマに沿って選択されている、商品陳列販売用店舗。
【請求項５】
請求項１乃至請求項４の何れか一項において、
各部分空間には、前記第２のテーマに沿った視覚的展示物が、他の部分空間の視覚的展示物の位置と同様の位置に展示されている、商品陳列販売用店舗。
【請求項６】
請求項５において、
前記各部分空間の視覚的展示物が、前記全体空間の出入り口から見えるように展示された、商品陳列販売用店舗。
【請求項７】
請求項１乃至請求項６の何れか一項において、
前記全体空間内に通路が形成され、前記複数の部分空間は、前記通路に沿って形成され、各部分空間内と前記通路との間で往来自在に形成されている、商品陳列販売用店舗。
【発明の詳細な説明】
【０００１】
【発明の属する技術分野】
本発明は、商品を陳列・販売する店舗に係り、特に店舗を複数の部分空間に分け、店舗全体に共通する世界観を持たせることができるとともに、個々の部分空間ごとに個性を持たせることができるようにした商品陳列販売用店舗に関する。
【０００２】
【従来の技術】
小店舗又は売り場を複数まとめて一定範囲に配置して、小店舗群又は売り場群を構成することがしばしば行われている。
【０００３】
【発明が解決しようとする課題】
しかしながら従来は、いわゆるショッピング・モールや百貨店のように小店舗又は売り場の独立性が強い場合には、各小店舗又は売り場のテナント又は担当者が各小店舗又は売り場について思い思いのデザインを行っていた。このため、店舗群又は売り場群全体に共通する世界観を持たせることができなかった。
【０００４】
また、従来、小店舗又は売り場の独立性が弱い場合には、小店舗又は売り場間の境界線が不明確となりやすく、個々の小店舗又は売り場ごとにまとまりのある空間を形成することができない。このため、小店舗又は売り場ごとに明確な個性を持たせることが難しかった。また、小店舗又は売り場ごとに個性を持たせることができても、ある小店舗又は売り場を、新規な小店舗又は売り場に変更したり他の既存の小店舗又は売り場と配置を交代したりする場合に、違和感が生じるという問題があった。
【０００５】
本発明は、店舗群又は売り場群全体に共通する世界観を持たせることができるとともに、個々の小店舗又は売り場ごとに明確な個性を持たせることができ、更に小店舗又は売り場の変更や配置替えを違和感無く行うこともできるような店舗を提供することを目的とする。
【０００６】
【課題を解決するための手段】
（１）上記の課題を解決するため、本発明は、第１のテーマ及びこれに基づく商品群が共通し且つ購買環境が統一されて全体空間が形成された商品陳列販売用店舗であって、前記全体空間内に複数の部分空間が互いに仕切られて形成されている。各々の部分空間は、前記共通する第１のテーマ及び商品群並びに前記統一された購買環境の枠内で、他の部分空間と異なる第２のテーマ及びこれに基づく商品群が選択され且つ当該第２のテーマに応じて他の部分空間と異なる購買環境が選択されている。これにより、店舗群又は売り場群全体に共通する世界観を持たせることができるとともに、個々の小店舗又は売り場ごとに明確な個性を持たせることができる。また、小店舗又は売り場の変更や配置替えを違和感無く行うこともできる。
【０００７】
（２）上記店舗において、前記複数の部分空間を形成するために、各々の部分空間ごとに、前記第２のテーマに応じて異なる仕切りが用いられることが望ましい。これにより、部分空間内の統一感が向上するとともに、各部分空間の個性を強く表現することができる。
【０００８】
（３）上記店舗において、各部分空間の内装は、前記異なる第２のテーマに沿って決められていることが望ましい。これにより、部分空間内の統一感が一層向上するとともに、各部分空間の個性を強く表現することができる。
【０００９】
（４）上記店舗において、各部分空間内の什器は、前記第２のテーマに沿って選択されていることが望ましい。部分空間内の統一感が一層向上するとともに、各部分空間の個性を強く表現することができる。
【００１０】
（５）上記店舗において、各部分空間には、前記第２のテーマに沿った視覚的展示物が、他の部分空間の視覚的展示物の位置と同様の位置に展示されていることが望ましい。これにより、全体空間の統一感が向上する。
【００１１】
（６）上記店舗において、前記各部分空間の視覚的展示物が、前記全体空間の出入り口から見えるように展示されることが望ましい。これにより、全体空間を一覧して部分空間を選択し、アクセスすることが容易になる。
【００１２】
（７）上記店舗において、前記全体空間内に通路が形成され、前記複数の部分空間は、前記通路に沿って形成され、各部分空間内と前記通路との間で往来自在に形成されていることが望ましい。これにより、来店客の導線が遮られること無く、目的とする小店舗又は売り場にスムーズに移動することができる。
【００１３】
（８）また、上記店舗において、少なくとも２枚の板状体を結合させて構成した仕切りユニットを、各仕切りユニットの平面視形状および高さがほぼ同一となるように複数形成し、前記仕切りユニットを、互いに間隔を空けて複数配置し、複数の異なる大きさを有し商品を陳列する部分空間を画成してもよい。これにより、部分空間の境界線を明確にするとともに部分空間内外の往来を自由にすることができる。また、統一化された仕切りユニットで様々な大きさの部分空間を形成することができる。
【００１４】
（９）上記店舗において、各仕切りユニットを構成する板状体のうち少なくとも２枚を、それぞれ水平面に対してほぼ垂直とし、かつＬ字型の水平断面を有するように前記複数の仕切りユニットを配置してもよい。これにより、構造的に丈夫で安定な仕切りユニットとすることができる。
【００１５】
（１０）上記店舗において、前記仕切りユニットは、３枚の板状体を結合させて構成してもよい。これにより、統一化された仕切りユニットで様々な部分空間を形成することができる。
【００１６】
【発明の実施の形態】
次に本発明の実施の形態を、図面を参照して説明する。
【００１７】
＜１．第１実施形態＞
図１は、本発明の第１実施形態による店舗の内部を、その出入り口側から見た斜視図であり、図２は、上記店舗の平面図である。この店舗は、四方を壁で囲まれた建物のフロアーの一部分に形成されており、当該部分が、全体空間３０を構成している。例えば百貨店やデパートにおいて、これら百貨店やデパートに展開している個々のブランド・ショップの売り場空間を、全体空間３０とする。但し、建物のフロアー全体を全体空間としても良い。全体空間３０内には、本発明における部分空間である小店舗のゾーン３１〜３８が、通路２０に沿って配置されており、これらゾーンは通路２０、仕切り１１〜１６によって仕切られている。
【００１８】
通路２０は、出入り口２８から出入り口２９に至る全体空間の長手方向の中心線上に設けられ、来店客の動線となっている。通路の両側にはそれぞれ１列に小店舗のゾーン３１〜３８が配置されている。各ゾーンには、必要に応じてキャッシュレジスターや試着室を備えていてもよい。
【００１９】
仕切り１１〜１６は、板状の形でもよいし、商品の陳列棚を兼ねていてもよい。仕切りの高さは、人間の平均的な身長より若干高く、例えば２メートル程度とする。
【００２０】
＜１−１．商品群＞
ゾーン３１〜３８に陳列される商品は、図示を省略しているが、全体空間３０に共通のテーマ（第１のテーマ）に基づいて選択されている。各ゾーンには、第１のテーマの枠内で決められた他のゾーンと互いに異なるテーマ（第２のテーマ）に基づいて選択された商品が陳列されている。第１のテーマに基づく商品群としては、比較的大きな分類、例えば、あるブランドのもとで販売される商品群が選択される。具体的な例としては、株式会社ワールドの「ＯＺＯＣ」（登録商標）など、一定範囲の購買層、訴求イメージ又はコンセプトなどで統合されたブランドの商品群が挙げられる。第２のテーマに基づく商品群としては、より細かい分類、上記の例で言えば、当該ブランドで売られる商品群に含まれる商品カテゴリーやより細かい訴求イメージが選択される。
【００２１】
また、例えば、第１のテーマに基づく全体空間の商品群として女性用衣料が選択された場合、第２のテーマに基づく各ゾーンの商品群としては、カジュアル、フォーマル、スポーティ、クラシック、オンタイム用、などを選択することもできる。また例えば、第１のテーマに基づく全体空間の商品群としてカジュアル衣料が選択された場合、第２のテーマに基づく各ゾーンの商品群として、レディース、メンズ、ユニセックス、ヤング、キッズなどを選択してもよい。また、種々雑多な商品カテゴリー（衣料、アクセサリー、かばん類、化粧品、文具、菓子類）を含む商品群を、全体空間内で共通する１つのコンセプトに基づいて抽出し、これらの商品カテゴリーを分類して各ゾーンに配置してもよい。
【００２２】
＜１−２．購買環境＞
ゾーン３１〜３８の購買環境は、全体空間３０に共通する共通点と、ゾーンごとに相違する差別化点とを有している。購買環境とは、人間の五感（特に視覚、聴覚、嗅覚）で感じる店舗の雰囲気（店舗アトモスフィー）である。共通点のうち比較的重要なものは、仕切り１１〜１６の大きさ及び形状や、視覚的展示物（ヴィジュアル・プレゼンテーション：ＶＰ）２１〜２６の存在などである。商品を陳列するための什器も、ゾーン３１〜３８に共通のデザインコンセプトを持たせることが望ましい。
【００２３】
かかる共通点を設けることにより、全体空間３０に共通の世界観を持たせることができるとともに、来店客にとって下記差別化点を際立たせることができ、各ゾーンのテーマについての識別を容易にすることができる。なお、共通点はこれに限らず、他の点で共通化しても良い。
【００２４】
差別化点は、上記共通点の枠内で各ゾーンの個性を示すために設けられる。例えば、上記視覚的展示物２１〜２６を設置すること及びその設置場所については各ゾーンに共通であるが、その視覚的展示物の内容は、ゾーンごとに、その取り扱う商品のテーマを端的に示すような内容にする。視覚的展示物２１〜２６としては、例えば当該ゾーンに陳列する商品のテーマを端的に表す写真、ポスター、ロゴマークを印刷した物、あるいは動画を表示するディスプレイ装置などが用いられ、通路２０から見て各ゾーンの奥の壁に配置される。視覚的展示物の設置箇所としては各ゾーンの奥の壁に限らず、仕切り１１〜１６またはその通路側のスペースでもよい。１つのゾーンに視覚的展示物を複数設置する場合にはそれらのデザインに統一性を持たせることにより、各ゾーンの個性をより強くアピールすることができる。
【００２５】
視覚的展示物以外の差別化点としては、例えば、各ゾーンで取り扱う商品のテーマに応じてゾーンの基調となる色彩が異なるようにしてもよい。基調となる色彩は、視覚的展示物２１〜２６や、各ゾーンに設置される什器に付することができるほか、仕切り１１〜１６、天井２７、床などの内装に付してもよい。また、天井２７には、各ゾーンの位置及び形状に合わせて、各ゾーンについて決められた第２のテーマ乃至商品群にマッチしたデザインを施してもよい。また、色彩のみならず、内装材や什器の材質乃至質感で差別化点を表現しても良い。
【００２６】
仕切り１１〜１６の大きさ及び形状を共通化することにより、ゾーン３１〜３８の大きさもかなり共通化される。但し、仕切りの設置間隔がゾーンごとに異なるようにしてゾーンの大きさが互いに異なるようにしても良い。
【００２７】
図３は、上記店舗に用いられる什器の例を示す斜視図である。商品を陳列するための什器は、上述のようにゾーン３１〜３８に共通のデザインコンセプトを持たせることにより、全体空間での統一を図ることができる。そこで、例えば図３（ａ）に示すような同一規格のベースフレーム８１を基本構成とし、他のパーツを組み合わせることにより、デザイン的に共通し且つ種々の用途に適用可能な図３（ｂ）〜（ｄ）の什器とすることができる。図３（ｂ）の什器は、ベースフレーム８１に吊下げ用の板状支持棒８２を取り付けた例であり、図３（ｃ）の什器は、ベースフレーム８１に吊下げ用の管状支持棒８３を取り付けた例であり、図３（ｄ）の什器は、ベースフレーム８１に棚８４を取り付けた例である。
【００２８】
このようにして全体空間３０に共通のデザインコンセプトが確定した場合は、ゾーン３１〜３８の独自のテーマや各ゾーンにつき決められた商品群に従って、これら什器のパーツの選定や色彩の選定などを行うことで、ゾーンごとの差別化点を強調することができる。
【００２９】
なお、図３（ｂ）〜（ｄ）のように、什器の全部又は一部をキャスター付きその他の可搬式のものとすることにより、小店舗を改装したり、小店舗ごと配置替えしたりする作業を容易にすることが望ましい。また、例えば、すべての什器を仕切りの高さより低くして、什器が仕切りより目立つことが無いようにしてもよい。
【００３０】
なお、視覚的展示物２１〜２６は店舗のサイズに合わせて大きめに設定するとよい。また、店舗の変化を分かりやすくするために一定期間（例えば３ヶ月）に１度は視覚的展示物を変更していくとよい。
【００３１】
全体空間３０に共通する第１のテーマはむやみに変えないが、各ゾーンにおける変化は絶えずおきているように見せることが好ましい。
【００３２】
また、店舗の購買環境は、各ゾーン内における照明の光度によって表れていても良い。また、外観だけでなく、テーマにあった音楽を流したり（聴覚）、香りを発生させてもよい（嗅覚）。
【００３３】
＜１−３．通路＞
通路２０には、各ゾーンの商品が陳列されてもよいが、来店客の通行を妨げないことが望ましい。通路２０には、ゾーン３１〜３８に対してデザイン上のメリハリをつけることが望ましく、例えばゾーン３１〜３８及びその周辺には比較的明るい照明が、通路２０のうち他の部分にはこれより明るさの低い照明が設けられることが望ましい。特に、白熱灯でゾーン前の通路を明るくするとよい。また、全体空間３０を一覧してゾーンを選択することを容易にするために、各ゾーンの視覚的展示物２１〜２６が全体空間の出入り口２８又は２９から見えるようにすることが望ましい。そのため、通路２０は、図示のように直線状であることが望ましい。通路２０が直線状であることにより、来店客の通行を容易にすることもできる。但し、これに限らず、通路２０は曲がったり折れたりしていてもよい。ゾーンの数や配置は、全体空間の形状や面積によって自由に設計することができる。
【００３４】
ゾーン３１〜３８は、通路２０側に入り口を大きく開放しているので、通路２０からゾーンの中を見やすく、ゾーンに入りやすくなっている。各ゾーンの形状は、ここでは四角形として説明したが、六角形、八角形などでもよい。
【００３５】
＜１−４．第１実施形態による効果＞
以上説明したように、本実施形態によれば、第１のテーマ及びこれに基づく商品群が共通し且つ購買環境が統一されて全体空間３０が形成され、全体空間内に複数のゾーン３１〜３８が互いに仕切られて形成されている。各々のゾーンは、上記第１のテーマ及び商品群並びに購買環境の枠内で、他のゾーンと異なる第２のテーマ及びこれに基づく商品群が選択され且つ当該第２のテーマに応じて他のゾーンと異なる購買環境が選択されている。これにより、全体空間３０に共通する世界観を持たせることができるとともに、ゾーン３１〜３８に独立性を持たせ、ゾーンごとに明確な個性を持たせることができる。また、小店舗の変更や配置替えを違和感無く行うこともできる。
【００３６】
各ゾーンの内装は、互いに異なる第２のテーマに沿って決められている。また、各ゾーンは、互いに異なる第２のテーマに沿って決められる色彩を基調としてデザインされている。また、各ゾーン内の什器は、これら第２のテーマに沿って選択されている。これにより、ゾーン内の統一感が一層向上する。
【００３７】
また、各ゾーンには、互いに異なる第２のテーマに沿った視覚的展示物２１〜２６が、他のゾーンの視覚的展示物の位置と同様の位置に展示されている。これにより、全体空間３０の統一感が向上する。
【００３８】
各ゾーンの視覚的展示物２１〜２６は、全体空間の出入り口２８又は２９から見えるように展示されている。これにより、来店客が全体空間を一覧して部分空間を選択することが容易になる。
【００３９】
また、全体空間３０内に通路２０が形成され、ゾーン３１〜３８は、当該通路に沿って形成され、各ゾーン内と通路との間で往来自在に形成されている。これにより、来店客の導線が遮られること無く、好みでないゾーンをスキップでき、目的とする小店舗又は売り場にスムーズに移動することができる。従って、大規模面積で店舗を展開する場合に、多数の客が来店しても、各来店客が目的とする売り場に容易に到達することができる。
【００４０】
そして、各ゾーンのヴィジュアルがテーマに沿って統一され、しかも各ゾーンは来店客の動線又は通路に沿って配置されることにより、来店客は店舗に入って歩きながらここは何のゾーンなのかすぐわかる。
【００４１】
また、各ゾーンの購買環境に全体空間での共通点を持たせたため、什器や仕切り等を規格化しやすく、コストの低減が可能となる。
【００４２】
＜２．第２実施形態＞
図４は、本発明の第２実施形態による店舗の平面図である。この第２実施形態では、全体空間３０を各ゾーン３１〜３８に区切る仕切り４１〜４８が平面視「コ」の字型を有し、各ゾーンに１対１で対応している。仕切り４１〜４８は、第１実施形態のような共通点及び差別化点を有することが望ましい。他の構成は上記第１実施形態と同様であるのでその説明を省略する。
【００４３】
この第２実施形態によれば、仕切り４１〜４８がゾーン３１〜３８に１対１で対応しているので、ゾーン３１〜３８の差別化点を仕切り４１〜４８のデザイン等によって表現し易い。また、ゾーン３１〜３８の何れか一部を他の小店舗に変更したり、ゾーン同士で配置替えをしたりする場合の変更が一層容易になる。
【００４４】
＜３．第３実施形態＞
＜３−１．第３実施形態の構成＞
図５は、本発明の第３実施形態による店舗の内部の斜視図である。この店舗は、床面７０及び壁面７１により画成された全体空間６０内に、３枚の板状体を結合させて構成した仕切りユニット５１〜５８を配置してなる。仕切りユニット５１は、互いに結合され水平面に対して垂直に配置された２枚の板状体ａ、ｂと、これら２枚の板状体に結合され水平に配置された残り一枚の板状体ｃとを備えている。２枚の板状体ａ、ｂはほぼ同一の形状、ここでは長方形を有し、各々の長辺で互いに垂直に結合されている。残り１枚の板状体ｃは、１辺の長さが上記２枚の板状体ａ、ｂの短辺とほぼ同じ長さを有する正方形状であり、２枚の板状体ａ、ｂの上端又は下端に結合されている。従って、構造的に丈夫で安定な仕切りユニットとすることができる。仕切りユニット５１以外の仕切りユニット５２〜５８も、同様の構成を有している。特に、仕切りユニット５１〜５８は、互いにほぼ同一の形状及び高さを有している。
【００４５】
図６は、図５の仕切りユニット５１〜５８を水平に切断した際の切断面及びこれら仕切りユニットにより区画される空間を示す図である。仕切りユニット５１〜５８は、上記の構成を有するため、いずれもその水平切断面が２枚の板状体の切断面となっており、これら２枚の板状体によりＬ字型の切断面となっている。
【００４６】
これら仕切りユニット５１〜５８は、互いに間隔を空けて配置されているので、仕切りユニットの間に通路７２〜７５が形成される。特にこれら仕切りユニット５１〜５８の間隔は縦及び横にほぼ均等に空けられているので、この通路７２〜７５は縦及び横に直線状に走るようになっている。従って、通路の行き来が非常に容易になっている。
【００４７】
一方、仕切りユニット５１〜５８は、全体空間６０内に、複数の異なる大きさを有する部分空間であるゾーン６１、６３、６７及び６８を画成している。まず、仕切りユニット５１〜５４により、ゾーン６１が画成される。ゾーン６１は、通路７２が貫通しており、通路７３もそばを通っているので、かなりオープンなスペースではあるが、これら仕切りユニット５１〜５４により囲まれたゾーン６１は１つのまとまりを形成しやすいため、このゾーン６１内に１つのコンセプトに基づいた商品陳列を行うことができる。また、仕切りユニット５３〜５６により、ゾーン６３が画成される。このゾーン６３も、通路７２及び７４が縦横に貫通しているが、１つのまとまりを形成する。このゾーン６３は上記ゾーン６１より大きなゾーンとなっている。また、仕切りユニット５７、５５及び外側に壁がある場合にはその壁により、ゾーン６７が形成される。同様に、仕切りユニット５８、５６及び外側に壁がある場合にはその壁により、ゾーン６８が形成される。これらゾーン６７及び６８は大きさがほぼ同じであり、上記ゾーン６１及び６３のいずれと比べても小さいゾーンとなっている。
【００４８】
＜３−２．第３実施形態による効果＞
以上のように本実施形態では、仕切りユニットの形状及び大きさを統一しながらも、様々な大きさのゾーンを形成することができ、しかも、ゾーンの境界を明確にしつつゾーン内外の行き来を自由且つ容易にすることができる。また、仕切りユニットの配置は自由度が高いため、模様替えや配置替えが容易であるというメリットもある。
【００４９】
また、本実施形態の店舗は、上記第１実施形態と同様に、全体空間６０で決められた第１のテーマに基づき、商品群及び購買環境が複数のゾーン６１、６３、６８、６９で共通しており、各々のゾーンには、他のゾーンと互いに異なる第２のテーマ及びこれに基づく商品群及び購買環境が採用されている。従って、売り場群全体に共通する世界観を持たせることができるとともに、個々の売り場ごとに明確な個性を持たせることができる。また、売り場の変更や配置替えも違和感無く行うことができる。また、第２のテーマに沿って各ゾーンで内装や什器を選択することが望ましく、第２のテーマに沿った視覚的展示物が各ゾーンに掲示されることが望ましい。
【００５０】
本発明は、以上の実施の形態に限定されることなく、特許請求の範囲に記載された発明の範囲内で、種々の変更が可能であり、それらも本発明の範囲内に包含されるものであることは言うまでもない。
【００５１】
【発明の効果】
以上説明したように、本発明によれば、店舗群又は売り場群全体に共通する世界観を持たせることができるとともに、個々の小店舗又は売り場ごとに明確な個性を持たせることができ、更に小店舗又は売り場の変更や配置替えを違和感無く行うこともできるような店舗を提供することが可能となる。
【図面の簡単な説明】
【図１】本発明の第１実施形態による店舗の内部を、その出入り口側から見た斜視図である。
【図２】上記店舗の平面図である。
【図３】上記店舗に用いられる什器の例を示す斜視図である。
【図４】本発明の第２実施形態による店舗の平面図である。
【図５】本発明の第３実施形態による店舗の内部の斜視図である。
【図６】図５の仕切りユニットを水平に切断した際の切断面及びこれら仕切りユニットにより区画される空間を示す図である。
【符号の説明】
１１〜１６　仕切り
２０　通路
２１〜２６　視覚的展示物
２８、２９　出入り口
３０　全体空間
３１〜３８　ゾーン（部分空間）
４１〜４８　仕切りユニット
５１〜５８　仕切りユニット
６０　全体空間
６１、６３、６７、６８　ゾーン（部分空間）
７０　床面
７１　壁面
７２〜７５　通路
【図１】
2004044108.tif 000003
【図２】
2004044108.tif 000004
【図３】
2004044108.tif 000005
【図４】
2004044108.tif 000006
【図５】
2004044108.tif 000007
【図６】
2004044108.tif 000008
【手続補正書】
【提出日】平成15年1月6日(2003.1.6)
【手続補正１】
【補正対象書類名】明細書
【補正対象項目名】特許請求の範囲
【補正方法】変更
【補正の内容】
【特許請求の範囲】
【請求項１】
第１のテーマ及びこれに基づく商品群が共通し且つ購買環境が統一されて全体空間が形成された商品陳列販売用店舗であって、
前記全体空間内に、複数の部分空間が、各々の部分空間と１対１で対応する仕切りにより互いに仕切られて形成され、
各々の部分空間は、
前記共通する第１のテーマ及び商品群並びに前記統一された購買環境の枠内で、
他の部分空間と異なる第２のテーマ及びこれに基づく商品群が選択され且つ当該第２のテーマに応じて他の部分空間と異なる購買環境が選択された、商品陳列販売用店舗。
【請求項２】
請求項１において、
少なくとも２枚の板状体を結合させて構成した仕切りユニットを、各仕切りユニットの平面視形状および高さがほぼ同一となるように複数形成し、前記仕切りユニットを、互いに間隔を空けて複数配置し、複数の異なる大きさを有し商品を陳列する部分空間を画成した、商品陳列販売用店舗。
【請求項３】
請求項２において、
各仕切りユニットを構成する板状体のうち少なくとも２枚を、それぞれ水平面に対してほぼ垂直とし、かつＬ字型の水平断面を有するように前記複数の仕切りユニットを配置した、商品陳列販売用店舗。
【請求項４】
請求項２又は請求項３において、
前記仕切りユニットは、３枚の板状体を結合させて構成した、商品陳列販売用店舗。
【手続補正２】
【補正対象書類名】明細書
【補正対象項目名】００４２
【補正方法】変更
【補正の内容】
【００４２】
＜２．第１実施形態の詳細＞
図４は、本発明の第１実施形態による店舗の詳細を示す平面図である。この第１実施形態では、全体空間３０を各ゾーン３１〜３８に区切る仕切り４１〜４８が平面視「コ」の字型を有し、各ゾーンに１対１で対応している。仕切り４１〜４８は、上記のような共通点及び差別化点を有する。他の構成は上記説明の通りである。


【手続補正３】
【補正対象書類名】明細書
【補正対象項目名】００４３
【補正方法】変更
【補正の内容】
【００４３】
この第１実施形態によれば、仕切り４１〜４８がゾーン３１〜３８に１対１で対応しているので、ゾーン３１〜３８の差別化点を仕切り４１〜４８のデザイン等によって表現し易い。また、ゾーン３１〜３８の何れか一部を他の小店舗に変更したり、ゾーン同士で配置替えをしたりする場合の変更が一層容易になる。


【手続補正４】
【補正対象書類名】明細書
【補正対象項目名】００４４
【補正方法】変更
【補正の内容】
【００４４】
＜３．第２実施形態＞
＜３−１．第２実施形態の構成＞
図５は、本発明の第２実施形態による店舗の内部の斜視図である。この店舗は、床面７０及び壁面７１により画成された全体空間６０内に、３枚の板状体を結合させて構成した仕切りユニット５１〜５８を配置してなる。仕切りユニット５１は、互いに結合され水平面に対して垂直に配置された２枚の板状体ａ、ｂと、これら２枚の板状体に結合され水平に配置された残り一枚の板状体ｃとを備えている。２枚の板状体ａ、ｂはほぼ同一の形状、ここでは長方形を有し、各々の長辺で互いに垂直に結合されている。残り１枚の板状体ｃは、１辺の長さが上記２枚の板状体ａ、ｂの短辺とほぼ同じ長さを有する正方形状であり、２枚の板状体ａ、ｂの上端又は下端に結合されている。従って、構造的に丈夫で安定な仕切りユニットとすることができる。仕切りユニット５１以外の仕切りユニット５２〜５８も、同様の構成を有している。特に、仕切りユニット５１〜５８は、互いにほぼ同一の形状及び高さを有している。


【手続補正５】
【補正対象書類名】明細書
【補正対象項目名】００４８
【補正方法】変更
【補正の内容】
【００４８】
＜３−２．第２実施形態による効果＞
以上のように本実施形態では、仕切りユニットの形状及び大きさを統一しながらも、様々な大きさのゾーンを形成することができ、しかも、ゾーンの境界を明確にしつつゾーン内外の行き来を自由且つ容易にすることができる。また、仕切りユニットの配置は自由度が高いため、模様替えや配置替えが容易であるというメリットもある。


【手続補正６】
【補正対象書類名】明細書
【補正対象項目名】図面の簡単な説明
【補正方法】変更
【補正の内容】
【図面の簡単な説明】
【図１】本発明の第１実施形態による店舗の内部を、その出入り口側から見た斜視図である。
【図２】上記店舗の平面図である。
【図３】上記店舗に用いられる什器の例を示す斜視図である。
【図４】本発明の第１実施形態による店舗の詳細を示す平面図である。
【図５】本発明の第２実施形態による店舗の内部の斜視図である。
【図６】図５の仕切りユニットを水平に切断した際の切断面及びこれら仕切りユニットにより区画される空間を示す図である。
【符号の説明】
１１〜１６　仕切り
２０　通路
２１〜２６　視覚的展示物
２８、２９　出入り口
３０　全体空間
３１〜３８　ゾーン（部分空間）
４１〜４８　仕切りユニット
５１〜５８　仕切りユニット
６０　全体空間
６１、６３、６７、６８　ゾーン（部分空間）
７０　床面
７１　壁面
７２〜７５　通路